(57)【要約】【課題】優れた導電性を持ち、極薄で、隠すことができ、空間をとらず、着脱が快適で、利便であるつぼを電気刺激させて按摩する低周波装置を提供する。【解決手段】ワンセット又はワンセット以上の正負電極ポイント１１、１２を並列又は直列に組合せ、導電フィルム１（又は銅箔板、導電ゴム）に設置することにより、電気刺激薄片１０を形成している。各正負電極ポイントが導電パスを経由し、それぞれ正極又は負電極の極性接点部に接続されるので、各極性接点部は個別に導電の挿入、接続ピンに接続され、電気刺激薄片１０は体の部位に応じて、様々な異なる形状を形成し、人体の各制定部位のつぼに対応するように分布される。【選択図】　図１
0003097254.tif 000002
【実用新案登録請求の範囲】
【請求項１】
ワンセット又はワンセット以上の正負電極ポイントが並列又は直列に組合せられ、導電フィルム、銅箔板、導電ゴムに設置することにより形成される電気刺激薄片を備え、各正負電極ポイントは導電パスを経由し、それぞれ正極又は負電極の極性接点部に接続され、各極性接点部は個別に導電の挿入、接続ピンに接続され、電気刺激薄片は体の部位に応じて、様々な異なる形状に形成され、人体の各所定部位のつぼに対応して分布していることを特徴とするつぼを電気刺激させて按摩する低周波装置。
【請求項２】
導電パスは導電フィルムの薄片の挟み層に設けられることを特徴とする請求項１記載のつぼを電気刺激させて按摩する低周波装置。
【請求項３】
導電フィルム、銅箔板、および導電ゴムは軟質又は薄片の材質であることを特徴とする請求項１記載のつぼを電気刺激させて按摩する低周波装置。
【請求項４】
導電フィルム、銅箔板、および導電ゴムは印刷回路で、異なる極性の正、負電極ポイントおよび導電のパスを形成することを特徴とする請求項３記載のつぼを電気刺激させて按摩する低周波装置。
【請求項５】
電気刺激薄片のワンセット又はワンセット以上の正、負電極ポイントはワイヤコントロール又はリモコンで、いずれのワンセット又はワンセット以上の正、負電極ポイントの電流出力の開閉、強弱調節も操作、制御可能であることを特徴とする請求項１記載のつぼを電気刺激させて按摩する低周波装置。
【請求項６】
電気刺激薄片をカップ又はブラジャーの内面に付けて結合することを特徴とする請求項１記載のつぼを電気刺激させて按摩する低周波装置。
【請求項７】
電気刺激薄片は弧形、円形又は細長い形状となることを特徴とする請求項１記載のつぼを電気刺激させて按摩する低周波装置。
【請求項８】
ブラジャーの外側面に、電流の強度を制御する調節スイッチを取り付けることを特徴とする請求項６記載のつぼを電気刺激させて按摩する低周波装置。
【請求項９】
電気刺激薄片は分離式の正、負電極貼り付け薄片に作られ、ワンレアの導電シリコンゴムを覆うことを特徴とする請求項１記載のつぼを電気刺激させて按摩する低周波装置。
【請求項１０】
電気刺激薄片を網状着物の内面に付けて結合することを特徴とする請求項１記載のつぼを電気刺激させて按摩する低周波装置。
【請求項１１】
網状着物は身に付けて、ワンセット以上の電気刺激薄片を持つことを特徴とする請求項１０記載のつぼを電気刺激させて按摩する低周波装置。
【請求項１２】
電気刺激薄片を網状ズボンの内面に付けて結合することを特徴とする請求項１記載のつぼを電気刺激させて按摩する低周波装置。
【請求項１３】
網状ズボンには通気孔を開け、通気孔の周囲内面に電気刺激薄片を設けることを特徴とする請求項１２記載のつぼを電気刺激させて按摩する低周波装置。
【請求項１４】
電気刺激薄片の正、負電極ポイントに、複数の導電突出ポイントがあることを特徴とする請求項１３記載のつぼを電気刺激させて按摩する低周波装置。
【請求項１５】
電気刺激薄片を収束帯の内面に付けて結合することを特徴とする請求項１記載のつぼを電気刺激させて按摩する低周波装置。
【請求項１６】
電気刺激薄片を靴の敷板に付けて結合することを特徴とする請求項１記載のつぼを電気刺激させて按摩する低周波装置。
【請求項１７】
電気刺激薄片を人体足部のつぼ反射エリアに対応するように設けることを特徴とする請求項１６記載のつぼを電気刺激させて按摩する低周波装置。
【請求項１８】
電気刺激薄片のワンセット以上の正、負電極ポイントは側薄片に集中に設置して、排列線を形成することを特徴とする請求項１６記載のつぼを電気刺激させて按摩する低周波装置。
【請求項１９】
電気刺激薄片を靴に付けて結合することを特徴とする請求項１記載のつぼを電気刺激させて按摩する低周波装置。
【請求項２０】
電気刺激薄片を按摩踏みパットに付けて結合することを特徴とする請求項１記載のつぼを電気刺激させて按摩する低周波装置。
【請求項２１】
靴の履く上下表面に、それぞれワンセット又はワンセット以上の正、負電極ポイントを設けることを特徴とする請求項１９記載のつぼを電気刺激させて按摩する低周波装置。
【請求項２２】
靴の履く上表面の内壁面には、正又は負の電極薄片を設置することを特徴とする請求項１９記載のつぼを電気刺激させて按摩する低周波装置。
【請求項２３】
靴の履く上表面は二枚の粘着薄片から結合、組成されることを特徴とする請求項１９記載のつぼを電気刺激させて按摩する低周波装置。
【請求項２４】
靴の履く下表面には、外部制御器を接続する極性接点部が設置されることを特徴とする請求項１９記載のつぼを電気刺激させて按摩する低周波装置。
【請求項２５】
靴の履く上表面は外部接続の電極薄片を設置するが、下表面は外部制御器を設置することを特徴とする請求項１９記載のつぼを電気刺激させて按摩する低周波装置。
【請求項２６】
按摩踏みパットは二枚の延ばし極性貼り薄片を設けることを特徴とする請求項２０記載のつぼを電気刺激させて按摩する低周波装置。
【請求項２７】
電気刺激薄片を腕時計に付けて結合することを特徴とする請求項１記載のつぼを電気刺激させて按摩する低周波装置。
【請求項２８】
腕時計には、制御スイッチが設けられることを特徴とする請求項２７記載のつぼを電気刺激させて按摩する低周波装置。
【請求項２９】
電気刺激薄片を按摩の目の隠し布の内壁面に付けることを特徴とする請求項１記載のつぼを電気刺激させて按摩する低周波装置。
【考案の詳細な説明】
【０００１】
【考案の属する技術分野】
本考案はつぼを電気刺激させて按摩する低周波装置に関する設計である。ワンセット又はワンセット以上の正負電極ポイントを並列又は直列に組合せ、導電フィルム（又は銅箔板、導電ゴム）に設置することにより、電気刺激薄片を形成する。
そのような電気刺激薄片がブラジャー、シャツとズボン、腰帯、靴、腕時計、又は按摩目隠し布などの内面に適用できる。また、制御装置により、ワンセットやマルチセットの正負電極ポイントを選択、導電させて、低周波で、人体のつぼを電気刺激する。
【０００２】
【従来の技術】
従来から、既存の低周波の補助装置（又は按摩器、治療器を呼ぶ。）は大体、制御器、シリコンゴム電極薄片、シリコン軟膏（俗名導電のゲル）、碗状のシリコン電極カップなど要素から形成される。
しかし、その製造コストはとても高く、使用の時機、場所が特定の制限を受ける。また、導電の効果が良好でなく、特に、体の使用部位にシリコン軟膏を塗布しなければならないので、濃くどろどろと流れて、ユーザはいつも悪い気持があるばかりでなく、洗浄も容易ではない。その他、シリコン電極薄片又は碗状のシリコンカップを問わず硬くて厚い物体なので、着ているうちに硬くて重い感じがあり、快適な効果がない。また、身に貼り付けるように隠すことができないので、空間をとる以外に、身に付けて隠して使うことができない。
【０００３】
【考案が解決しようとする課題】
したがって、本考案の主な目的は優れた導電性を持ち、極薄で、隠すことができ、空間をとらず、着脱が快適で、利便であるつぼを電気刺激させて按摩する低周波装置を提供することにある。
【０００４】
【課題を解決するための手段】
上記課題を解決するための本考案のつぼを電気刺激させて按摩する低周波装置は主に、ワンセット又はワンセット以上の正負電極ポイントを並列又は直列に組合せ、導電フィルム（又は銅箔板、導電ゴム）に設置することにより、電気刺激薄片を形成する。
【０００５】
そのような電気刺激薄片がブラジャー、シャツとズボン、腰帯、靴、腕時計、又は按摩目隠し布などに沿って、分布、使用される。また、制御装置により、ワンセットやマルチセットの正負電極ポイントを操作、制御することにより、低周波で、人体の選定つぼを電気刺激させ、体の健康をするという効果に役立つ。
本考案の目的、特徴および効果などを以下に、さらに具体的な実施例に図面を合わせて詳しく説明する。
【０００６】
【考案の実施の形態】
まずは図１および図２を参照する。本考案の一実施例によるつぼを電気刺激させて按摩する低周波装置の設計は主に、ワンセット又はワンセット以上の正負電極ポイント１１、１２を並列又は直列に組合せ、導電フィルム１（又は銅箔板又は導電ゴム材質）に設置することにより、電気刺激薄片１０を形成する。各正負電極ポイント１１、１２は導電パス１１１、１２１を経由して、正電極又は負電極の極性接点部１１２、１２２に接続される。各極性接点部１１２、１２２は個別にワイヤ１１３、１２３で、導電挿入、接続ピン１１４、１２４に接続される。また、前述の導電パス１１１、１２１が図２に示すように導電フィルム１の薄片体の挟まれ層に設けられるので、正負電極ポイント１１、１２の間は絶縁の状態となる。
【０００７】
上述の導電フィルム１（又は銅箔板又は導電ゴム材質）は軟質又は薄片体の材質であり、プラスチックＰＣ板を採用して、印刷回路に合わせて、異なる極性の正、負電極ポイント１１、１２および導電パス１１１、１２１を形成する。しかも、導電フィルム１は体の部位に応じて、様々な異なる形状又は形態に成型することができる。
【０００８】
前掲のワンセット又はワンセット以上の正負電極ポイント１１、１２を並列又は直列に組合せ、導電フィルム１（又は銅箔板又は導電ゴム材質）に設置することにより形成された電気刺激薄片１０を、正負電極ポイント１１、１２を人体の選定つぼ（例えば、ネック、肩、腰、四肢、腕、足の底の部位、胸、又は男性の生殖器、女性の陰部の周囲のエリア）に対応させる。
【０００９】
前掲電気刺激薄片１０のワンセット又はワンセット以上の正負電極ポイント１１、１２はワイヤコントロール（又はリモコン）の制御器２で、図３に示すように、いずれのワンセット又はマルチセットの正負電極ポイント１１、１２も操作、制御することができる。結局、低周波で、人体の選定のつぼを電気刺激、按摩して、人体の使用部位の血液の循環を促進させることにより、体の健康にし、筋、脈をくつろがせるという効果を遂げる。
【００１０】
上述の制御器２は電流出力の開閉、強弱を制御、調節し、各種の選定効果を具有する。その内部には電池を設置し、二本の異なる正負極性の導電挿入、接続ピン２１、２２をそれぞれ電気刺激薄片１０の導電挿入、接続ピン１１４、１２４に導く。制御器２の選定箇所に、ニーズに応じて、クリップ２３を設置してもよく、使用のときに身に付けることができる。制御スイッチ２４、２５が開閉して操作、制御できる。電流強弱の調節スイッチ２６はプッシプール又はノッブのステップレススイッチ形態を採用してもよい。
【００１１】
図４および図５を参照する。上述の電気刺激薄片１０をカップ３又はブラジャー（図１２〜図２８を参照）の内面に実施する場合に、各正負電極ポイント（又はエリア）１１、１２が胸部のつぼに対応するように分布する。そうすると、通電のときに特定のつぼを個別に又は同時に、低周波で電気刺激、按摩する。前掲のブラジャー又はカップ３内面に実施した電気刺激薄片１０における各セット正負電極ポイント１１、１２の分布又は形態は限定されない。例えば、図６、図７に示すように、異なる正負電極エリア１１、１２の電気刺激薄片１０が胸部の“天谿”つぼに対応すれば、電気刺激、按摩すると乳房のはれふくれを除く効果がある。胸部の“輒筋”つぼに電気刺激、按摩すると気の塞ぐことを解除する効果が発揮される。
【００１２】
図８〜図１１を参照する。上述の導電フィルム１は印刷回路で大量に製作することが適用できる。人体との接触との実際ニーズに応じて、薄片の表面に印刷するように、ワンセット又はワンセット以上の異なる正負電極ポイント１１、１２および導電パス１１１、１２１を設置する。異なる正負電極ポイント１１、１２は弧形、円形又は細長い形状に呈して、相互にマッチするようにアセンブリされる。
【００１３】
上述の電気刺激薄片１０のカップ３は図１２に示すように、直接にブラジャーの内面に付けて結合してもよい。図１３に示すように、電気刺激薄片１０を一体化成型にブラジャーの内面に設けてもよいし。しかも、図１４に示すように、ワイヤコントロール（又はリモコン）の制御器２を利用して、いずれのワンセット又はマルチセットの正負電極ポイント１１、１２も操作、制御することができる。そうすると、低周波で、人体のつぼを電気刺激したり、血液の循環を促進したり、胸を豊かなように綺麗にさせるという効果に役立つ。前述の一体化成型にブラジャーの内面に設けた電気刺激薄片１０としては、ブラジャーの外側に、電流強度の制御用調節スイッチ２７を追加してもよいし、利便に、電流を図１５に示すように調節することができる。
【００１４】
図１６〜図２１の様々な実施例を参照する。それらはワンセット、ワンセット以上の正負電極ポイントを持つ電気刺激薄片１０を自由に人体の様々な選定つぼに分布して設けることを表す。
本考案により、女性のブラジャーカップ３の内面に実施する電気刺激薄片１０の材質は図２２の導電フィルム形態に限られない。導電フィルム１は銅箔板又は導電ゴムなど厚くて堅実の材質で、内部放置式の電気刺激薄片１０を構成してもよい（図２３を御参照）。カップ３の内面に実施する内部放置式の電気刺激薄片１０も図２４、図２５に示すようにワイヤコントロール又はリモコン方式で、いずれのワンセット又はマルチセットも制御することができる。
【００１５】
上述の女性用の胸を豊かにさせ、体を強化する電気刺激薄片１０は図２６〜図２８に示すように、分離式の正負電極貼り付け薄片１０１、１０２の形態を採用してもよい。また、肌、皮膚に貼り付ける接触表面に、単層の導電シリコン１０３を覆う。そして、融通して貼り付けられ、自由に胸部の選定のつぼを貼り、低周波で、電気刺激、按摩を行う。
【００１６】
図２９の実施例を参照する。前掲の電気刺激薄片１０は伸縮弾性の網状着物２０に付けて結合してもよい。電気刺激薄片１０を対応するように、肩、胸、背、腰など箇所の網状着物２０の内面に貼り付けるので、ユーザが着ているうちに、随時につぼを振動で按摩したり、刺激したりする。図３０に示すように、網状の着物２０は身に付く網状形態であり、体のバックネック、肩、胸、腰、生理部位などの選定対応位置の内面に、それぞれ電気刺激薄片１０を設ける。それで、マルチセット電気刺激薄片１０の身に付く網状着物を構成する。
【００１７】
図３１、図３２の実施例を参照する。前掲の電気刺激薄片１０は伸縮弾性の男性、女性網状ズボン３０、４０に付けて結合してもよい。網状ズボン３０、４０の生理部位の対応箇所に、通気孔３０１、４０１を開ける。通気孔３０１、４０１の周囲内面に、図３３、図３４に示すように、適当なコイル状の電気刺激薄片１０を設置する。また、電気刺激薄片１０の正、負電極ポイント１１、１２に、図３５に示すように、幾つの導電突出ポイント１１５、１２５を設けるので、各導電突出ポイント１１５、１２５は図３６に示すように、人体の生理部位５０の毛又は体の毛５０１をこじあけて、肌、皮膚にさらに容易に接触できる。
図３７〜図４０を参照する。前掲の電気刺激薄片１０を男性の様々な形態の収束帯６０に付けて結合してもよい。電気刺激薄片１０を収束帯６０の選定内面に設置すると、ユーザはそれを身体の四肢又は体の選定部位にはめて、人体の生理機能を刺激する。
【００１８】
図４１〜図４２を参照する。前掲の電気刺激薄片１０を靴の敷板７０に付けて結合してもよい。電気刺激薄片１０を図４１の示すような人体の足部Ｆにおける各つぼの反射エリアＦ１に応じて実施すると、図４２の靴の敷板７０が形成される。電気刺激薄片１０を持つ靴の敷板７０は足部の各つぼ反射エリアに対応して、マッチしたエリアには、ワンセット又はワンセット以上の正負電極ポイント１１、１２を並列又は直列に組合せ設置する。また、マルチセットの正負電極ポイント１１、１２を集中して側薄片７０１に設置すると、排列線７０２が形成される。それを制御器２に接続し合わせると、利便に、操作、制御、使用できる。
【００１９】
上述の電気刺激薄片１０を持つ靴の敷板形態の設計を靴８０に付けて成型してもよいし（図４３を参照）、按摩の踏みペッド９０のアセンブリ形態を採用してもよい（図４４を参照）。また、ワイヤコントロール（又はリモコン）の制御器２で（注：靴の履く上表面８０１にセットする）、いずれのワンセット又はマルチセットの正負電極ポイント１１、１２も操作、制御することができる。結局、低周波で、足部のつぼ反射エリアを電気刺激、按摩する効果を達成する。
【００２０】
本考案の一実施例によるつぼを電気刺激させて按摩する低周波装置を靴８０に実施する場合に、靴の履く上下表面８０１、８０２が考えられる。つまり、ワンセット又はワンセット以上の正負電極ポイント１１、１２を集中して又は分別して、靴８０の履く上下表面８０１、８０２に設置する（図４５〜図４８の様々な実施例を参照）。
【００２１】
図４９を参照する。本考案の一実施例によるつぼを電気刺激させて按摩する低周波装置構造を靴８０に実施する場合に、靴８０の履く上表面８０１の内壁面に、正、負の電極薄片８０３を設置する。正、負の電極薄片８０３は相対に靴の敷板の電気刺激薄片１０における負、正電極ポイント１１、１２に配合して、電気刺激の按摩作用が出て来る。また、靴８０の履く上表面８０１は二枚の粘着薄片８０４、８０５を結合、組成してもよい。
【００２２】
図５０を参照する。本考案の一実施例によるつぼを電気刺激させて按摩する低周波装置構造を靴８０に実施する場合に、靴８０において、外部接続タイプの制御器２の極性接点部２１、２２を“靴の履く下表面８０２”に設置してもよい。制御器２を経由して、低周波で、電気刺激、按摩することを行う。
【００２３】
図５１を参照する。外部接続タイプの正、負電極薄片８０３を靴８０に案内、接続、アセンブリしてもよい。そうすると、正、負電極薄片８０３を足の上端に貼り付けて、外部接続タイプの制御器２に合わせて、靴の履く下表面８０２に設置するので、外部接続タイプの制御器２を経由し、低周波で、電気刺激、按摩することを行う。
図５２を参照する。本考案の一実施例によるつぼを電気刺激させて按摩する低周波装置構造を按摩踏みペッド９０に実施する場合に、　按摩踏みペッド９０には、二枚の延ばし極性貼り薄片９０３を設けて、足部に貼り付けると、低周波で、電気刺激、按摩することを行う。
【００２４】
図５３、図５４を参照する。前掲の電気刺激薄片１０を腕時計１００に付けて結合してもよい。人体の手腕部位に、それぞれワンセット又はワンセット以上の電気刺激薄片１０を設ける。電気刺激薄片１０には、ワンセット又はマルチセットの正負電極ポイント１１、１２がある。ユーザは手腕にはめることができる。また、腕時計１００に、制御スイッチ１０５が設けられるので、それをスタートすると、低周波で、電気刺激、按摩する作用があり、手腕の血液の循環の促進、体を健康にするなど効果を果たす。
【００２５】
図５５、図５６を参照する。ワンセット又はワンセット以上の電気刺激薄片１０を按摩の目隠し布１１０の内壁面に付けて結合してもよい。ワイヤコントロール又はリモコンの制御器で、按摩の目隠し布１１０の内壁面に設けたいずれのワンセット又はワンセットの正負電極ポイント１１、１２も操作、制御することができる。結局、電気刺激薄片はを低周波で、人体の顔のつぼを電気刺激、按摩する効果を遂げる。
【００２６】
しかしながら、前述の低周波で、人体の胸部のつぼを電気刺激させる補助装置の様々な形態は本考案の一実施例だけで、本考案の技術範囲を限定しない。同様効果の応用、前項技術手段の簡易変更、類似の改善などはすべて本考案の請求範疇に含まれる。
【００２７】
【考案の効果】
本考案の主な目的はつぼを電気刺激させて按摩する低周波装置の設計を提供することにある。ワンセット又はワンセット以上の正負電極ポイントを並列又は直列に組合せ、導電フィルム（又は銅箔板、導電ゴム）に設置することにより、電気刺激薄片を形成する。電気刺激薄片は軟質の薄片であり、人体の肌、皮膚に優れた貼り付け、接触効果を保持するので、ブラジャー、シャツとズボン、腰帯、靴、腕時計、又は按摩目隠し布などの様々な異なる物品に付けることができる。優れた導電性を持ち、極薄で、隠すことができ、空間をとらず、着脱が快適で、利便であるなどの特性がある。電気刺激薄片１０の各正、負電極ポイントを人体の選定つぼ（例えば、ネック、肩、腰、四肢、腕、足の底の部位、胸、又は男性の生殖器、女性の陰部の周囲のエリア）に対応させる。低周波で、人体のつぼを電気刺激させ、人体の生理機能を刺激することにより、体を健康にし、身体が痩せ、胸が豊満になり、血液の循環を促進するなど効果を達成する。また、正負電極ポイントを人体の胸部の選定つぼに対応させ、ワイヤコントロール（又はリモコン）の制御器で、いずれのワンセット又はマルチセットの正負電極ポイントも操作、制御することができる。結局、低周波で、人体の胸部のつぼを電気刺激、按摩して、人体の使用部位の血液の循環を促進させることにより、体が健康になり、筋、脈をくつろがせるという効果を遂げる。さらに、男性の勃起反応を促進したり、女性の高潮快感を作ったり、セックスの楽しみを増進する。
【００２８】
本考案のもう一つの目的はつぼを電気刺激させて按摩する低周波装置の設計を提供することにある。軟質の薄片体の導電フィルムはプラスチックＰＣ板を採用し、印刷回路に合わせて、異なる極性の導電面および導電パスを形成するので、簡単に作ることができ、コストも安く、優れた導電性がある。また、身に付けて使用でき、空間がかからなく、使用のチャンス、場所の制限もない。
【００２９】
本考案のもう一つの目的はつぼを電気刺激させて按摩する低周波装置の設計を提供することにある。電気刺激薄片のワンセット又はマルチセットの正、負電極ポイントを同時に又は非同時に導電させる。そして、簡易な操作モードにより、低周波で、人体の使用部位を電気刺激させ、血液の循環を促進させ、体を健康にし、筋、脈をくつろがせるという効果を遂げる。
【００３０】
本考案のもう一つの目的はつぼを電気刺激させて按摩する低周波装置の設計を提供することにある。電気刺激薄片は女性のブラジャー又はカップの内面に付けて結合してもよい。各セットの正、負電極ポイントと胸のつぼが対応して分布されるので、低周波で、電気刺激、按摩させ、胸の曲線を美化する効果を達成する。
【００３１】
本考案のもう一つの目的はつぼを電気刺激させて按摩する低周波装置の設計を提供することにある。ワンセット、ワンセット以上の正負電極ポイントを持つ電気刺激薄片は靴、靴の敷板、踏みペッドに付けて結合してもよい。各セットの正、負電極ポイントと足部のつぼの反射エリアに対応して分布されるので、低周波で、足部のつぼの反射エリアを電気刺激、按摩させ、体の健康のために人体の生理機能を刺激するという効果を達成する。
【００３２】
本考案のもう一つの目的はつぼを電気刺激させて按摩する低周波装置の設計を提供することにある。電気刺激薄片は弾性を持つ網状着物に付けて結合してもよい。電気刺激薄片が対応してに、肩、胸、背、腰など部位の着物の内面に貼り付けられるので、ユーザが着ているうちに、随時に、振動したり、按摩したり、つぼを刺激したりする。
【００３３】
本考案のもう一つの目的はつぼを電気刺激させて按摩する低周波装置の設計を提供することにある。電気刺激薄片は弾性を持つ網状ズボンに付けて結合してもよい。電気刺激薄片が対応して、人体生理部位周囲のズボン底部に貼り付けられるので、ユーザは随時に、操作したり、使用したりして、生理機能を刺激する。
【００３４】
本考案のもう一つの目的はつぼを電気刺激させて按摩する低周波装置の設計を提供することにある。電気刺激薄片は男性の持つ収束帯に付けて結合してもよい。電気刺激薄片が収束帯の内面に貼り付けられるので、ユーザはそれを身体四肢又は体の選定部位にはめると、人体の生理機能を刺激する。
本考案のもう一つの目的はつぼを電気刺激させて按摩する低周波装置の設計を提供することにある。電気刺激薄片は腕時計に付けて結合してもよい。電気刺激薄片を人体の手の腕部位に接触する以外、制御スイッチで、ワンセット又はワンセット以上の正、負電極ポイントの導電を操作、制御する。よって、低周波で、電気刺激させ、体の健康のために、手腕の血液の循環を促進する効果を果たす。
【００３５】
本考案のもう一つの目的はつぼを電気刺激させて按摩する低周波装置の設計を提供することにある。電気刺激薄片は按摩用の目の隠し布に付けて結合してもよい。電気刺激薄片が対応して人体の顔のつぼに設けられるので、ワンセット又はワンセットの正負電極ポイントの導電で、低周波が出てきて、つぼを電気刺激、按摩する効果を遂げる。
【図面の簡単な説明】
【図１】本考案の一実施例によるつぼを電気刺激させて按摩する低周波装置において、ワンセット又はワンセット以上の正負電極ポイントを並列又は直列に組合せ、導電フィルムに設置することにより、形成される電気刺激薄片の局部を示す外観斜視図である。
【図２】図１の断面図である。
【図３】本考案の一実施例によるつぼを電気刺激させて按摩する低周波装置の制御器を示す外観斜視図である。
【図４】本考案の一実施例によるつぼを電気刺激させて按摩する低周波装置を女性のブラジャーカップの内面に設置した状態を示す外観斜視図である。
【図５】図４の断面図である。
【図６】本考案の一実施例によるつぼを電気刺激させて按摩する低周波装置の、設計される電気刺激薄片が異なる正負電極エリアを持つ状態を示す上面図である。
【図７】本考案の一実施例によるつぼを電気刺激させて按摩する低周波装置の、設計される電気刺激薄片が異なる正負電極エリアを持つ他の状態を示す上面図である。
【図８】本考案の一実施例によるつぼを電気刺激させて按摩する低周波装置により、異なる極性の導電面を様々なようにマッチしてアセンブリする状態を示す説明図である。
【図９】本考案の一実施例によるつぼを電気刺激させて按摩する低周波装置により、異なる極性の導電面を様々なようにマッチしてアセンブリする状態を示す説明図である。
【図１０】本考案の一実施例によるつぼを電気刺激させて按摩する低周波装置により、異なる極性の導電面を様々なようにマッチしてアセンブリする状態を示す説明図である。
【図１１】本考案の一実施例によるつぼを電気刺激させて按摩する低周波装置により、異なる極性の導電面を様々なようにマッチしてアセンブリする状態を示す説明図である。
【図１２】本考案の一実施例によるつぼを電気刺激させて按摩する低周波装置の、電気刺激薄片をブラジャーの内面に植えいれて結ぶ使用方式を示す外観斜視図である。
【図１３】本考案の一実施例によるつぼを電気刺激させて按摩する低周波装置の、電気刺激薄片を一体化にブラジャーの内面に直接に設ける使用方式を示す外観斜視図である。
【図１４】本考案の一実施例によるつぼを電気刺激させて按摩する低周波装置の、制御器で、正負電極ポイントを操作、制御するブラジャーを示す外観斜視図である。
【図１５】本考案の一実施例によるつぼを電気刺激させて按摩する低周波装置の、ブラジャーの外側面に設ける調節スイッチで、電流を調節する状態を示す正面図である。
【図１６】本考案の一実施例によるつぼを電気刺激させて按摩する低周波装置の、電気刺激薄片のワンセット又はワンセット以上の正負電極ポイントを自由に人体の胸部の各つぼに分布する様々な例を示す正面図である。
【図１７】本考案の一実施例によるつぼを電気刺激させて按摩する低周波装置の、電気刺激薄片のワンセット又はワンセット以上の正負電極ポイントを自由に人体の胸部の各つぼに分布する様々な例を示す正面図である。
【図１８】本考案の一実施例によるつぼを電気刺激させて按摩する低周波装置の、電気刺激薄片のワンセット又はワンセット以上の正負電極ポイントを自由に人体の胸部の各つぼに分布する様々な例を示す正面図である。
【図１９】本考案の一実施例によるつぼを電気刺激させて按摩する低周波装置の、電気刺激薄片のワンセット又はワンセット以上の正負電極ポイントを自由に人体の胸部の各つぼに分布する様々な例を示す正面図である。
【図２０】本考案の一実施例によるつぼを電気刺激させて按摩する低周波装置の、電気刺激薄片のワンセット又はワンセット以上の正負電極ポイントを自由に人体の胸部の各つぼに分布する様々な例を示す正面図である。
【図２１】本考案の一実施例によるつぼを電気刺激させて按摩する低周波装置の、電気刺激薄片のワンセット又はワンセット以上の正負電極ポイントを自由に人体の胸部の各つぼに分布する様々な例を示す背面図である。
【図２２】本考案の一実施例によるつぼを電気刺激させて按摩する低周波装置の、導電フィルムで、構成した電気刺激薄片を女性のブラジャーカップに実施する状態を示す側面断面図である。
【図２３】本考案の一実施例によるつぼを電気刺激させて按摩する低周波装置の、銅箔板又は導電ゴムで、構成した電気刺激薄片を女性のブラジャーカップに実施する状態を示す側面断面図である。
【図２４】本考案の一実施例によるつぼを電気刺激させて按摩する低周波装置の、ワイヤコントロール方式で、正負電極ポイントを選定、制御するブラジャーを示す側面断面図である。
【図２５】本考案の一実施例によるつぼを電気刺激させて按摩する低周波装置の、ワイヤコントロール方式で、正負電極ポイントを選定、制御する他のブラジャーを示す側面断面図である。
【図２６】本考案の一実施例によるつぼを電気刺激させて按摩する低周波装置の、胸部に使用する電気刺激薄片を貼り付け薄片の形態にする状態を示す側面断面図である。
【図２７】図２６の貼り付け薄片の断面図である。
【図２８】図２６を使用している状態を示す外観斜視図である。
【図２９】本考案の一実施例によるつぼを電気刺激させて按摩する低周波装置を網状の着物に実施している状態を示す外観斜視図である。
【図３０】本考案の一実施例によるつぼを電気刺激させて按摩する低周波装置を身に付け着物に実施している状態を示す外観斜視図である。
【図３１】本考案の一実施例によるつぼを電気刺激させて按摩する低周波装置を男性の網状ズボンに実施している状態を示す外観斜視図である。
【図３２】本考案の一実施例によるつぼを電気刺激させて按摩する低周波装置を女性の網状ズボンに実施している状態を示す外観斜視図である。
【図３３】本考案の一実施例によるつぼを電気刺激させて按摩する低周波装置を女性の網状ズボンに実施する導電フィルムを示す部分拡大図である。
【図３４】本考案の一実施例によるつぼを電気刺激させて按摩する低周波装置を女性の網状ズボンに実施する他の導電フィルムを示す部分拡大図である。
【図３５】本考案の一実施例によるつぼを電気刺激させて按摩する低周波装置の、導電フィルムの導電面に導電突出ポイントを追加する状態を示す側面図である。
【図３６】本考案の一実施例によるつぼを電気刺激させて按摩する低周波装置の、導電突出ポイントが人体の毛をこじあけ、肌、皮膚と、優れた導電、接触する状態を形成する状態を示す断面図である。
【図３７】本考案の一実施例によるつぼを電気刺激させて按摩する低周波装置を収束帯に実施している状態を示す外観斜視図（一）である。
【図３８】本考案の一実施例によるつぼを電気刺激させて按摩する低周波装置を収束帯に実施している状態を示す外観斜視図（二）である。
【図３９】本考案の一実施例によるつぼを電気刺激させて按摩する低周波装置を収束帯に実施している状態を示す外観斜視図（三）である。
【図４０】本考案の一実施例によるつぼを電気刺激させて按摩する低周波装置を収束帯に実施している状態を示す外観斜視図（四）である。
【図４１】従来の人体足部のつぼの反射エリアを示す正面図である。
【図４２】本考案の一実施例によるつぼを電気刺激させて按摩する低周波装置を靴の敷板に実施している状態を示す正面図である。
【図４３】本考案の一実施例によるつぼを電気刺激させて按摩する低周波装置を電気刺激薄片を靴に付けて成型する状態を示す外観斜視図である。
【図４４】本考案の一実施例によるつぼを電気刺激させて按摩する低周波装置の電気刺激薄片を按摩踏みペッドに付けて成型する状態を示す外観斜視図である。
【図４５】本考案の一実施例によるつぼを電気刺激させて按摩する低周波装置の電気刺激薄片を靴に付けて成型する様々な実施例を示す側面図である。
【図４６】本考案の一実施例によるつぼを電気刺激させて按摩する低周波装置の電気刺激薄片を靴に付けて成型する様々な実施例を示す側面図である。
【図４７】本考案の一実施例によるつぼを電気刺激させて按摩する低周波装置の電気刺激薄片を靴に付けて成型する様々な実施例を示す側面図である。
【図４８】本考案の一実施例によるつぼを電気刺激させて按摩する低周波装置の電気刺激薄片を靴に付けて成型する様々な実施例を示す側面図である。
【図４９】本考案の一実施例によるつぼを電気刺激させて按摩する低周波装置を靴に応用している状態を示す　　図（一）である。
【図５０】本考案の一実施例によるつぼを電気刺激させて按摩する低周波装置を靴に応用している状態を示す外観斜視図（二）である。
【図５１】本考案の一実施例によるつぼを電気刺激させて按摩する低周波装置を靴に応用している状態を示す外観斜視図（三）である。
【図５２】本考案の一実施例によるつぼを電気刺激させて按摩する低周波装置を按摩踏みペッドに応用している状態を示す外観斜視図である。
【図５３】本考案の一実施例によるつぼを電気刺激させて按摩する低周波装置を腕時計に応用している状態を示す外観斜視図である。
【図５４】図５３の側面図である。
【図５５】本考案の一実施例によるつぼを電気刺激させて按摩する低周波装置を按摩目の隠し布に応用している状態を示す外観斜視図である。
【図５６】図５５の別の角度から見た外観斜視図である。
【符号の説明】
１　　導電フィルム
２　　制御器
３　　カップ
１０　　電気刺激薄片
１１、１２　　正負電極ポイント
２０　　網状の着物
２１、２２　　導電の挿入、接続ピン
２３　　クリップ
２４、２５　　制御スイッチ
２６、２７　　調節スイッチ
３０、４０　　網状のズボン
５０　　生理部位
６０　　収束帯
７０　　靴の敷板
８０　　靴
９０　　踏みペッド
１００　　腕時計
１０１、１０２　　正負電極の貼り付け薄片
１０３　　導電シリコン
１０５　　制御スイッチ
１１０　　按摩目の隠し布
１１１、１２１　　導電パス
１１２、１２２　　正負電極の接点部
１１３、１２３　　ワイヤ
１１４、１２４　　導電の挿入、接続ピン
１１５、１２５　　導電突出ポイント
３０１、４０１　　通気孔
５０１髪の毛又は体の毛
７０１　　側薄片
７０２　　排列線
８０１　　靴の履く上表面
８０２　　靴の履く下表面
８０３　　電極薄片
８０４、８０５　　粘着薄片
９０３　　極性貼り付け薄片
Ｆ　　足部
Ｆ１　　つぼの反射エリア
【図１】
0003097254.tif 000003
【図２】
0003097254.tif 000004
【図３】
0003097254.tif 000005
【図４】
0003097254.tif 000006
【図５】
0003097254.tif 000007
【図６】
0003097254.tif 000008
【図７】
0003097254.tif 000009
【図８】
0003097254.tif 000010
【図９】
0003097254.tif 000011
【図１０】
0003097254.tif 000012
【図１１】
0003097254.tif 000013
【図１２】
0003097254.tif 000014
【図１３】
0003097254.tif 000015
【図１４】
0003097254.tif 000016
【図１５】
0003097254.tif 000017
【図１６】
0003097254.tif 000018
【図１７】
0003097254.tif 000019
【図１８】
0003097254.tif 000020
【図１９】
0003097254.tif 000021
【図２０】
0003097254.tif 000022
【図２１】
0003097254.tif 000023
【図２２】
0003097254.tif 000024
【図２３】
0003097254.tif 000025
【図２４】
0003097254.tif 000026
【図２５】
0003097254.tif 000027
【図２６】
0003097254.tif 000028
【図２７】
0003097254.tif 000029
【図２８】
0003097254.tif 000030
【図２９】
0003097254.tif 000031
【図３０】
0003097254.tif 000032
【図３１】
0003097254.tif 000033
【図３２】
0003097254.tif 000034
【図３３】
0003097254.tif 000035
【図３４】
0003097254.tif 000036
【図３５】
0003097254.tif 000037
【図３６】
0003097254.tif 000038
【図３７】
0003097254.tif 000039
【図３８】
0003097254.tif 000040
【図３９】
0003097254.tif 000041
【図４０】
0003097254.tif 000042
【図４１】
0003097254.tif 000043
【図４２】
0003097254.tif 000044
【図４３】
0003097254.tif 000045
【図４４】
0003097254.tif 000046
【図４５】
0003097254.tif 000047
【図４６】
0003097254.tif 000048
【図４７】
0003097254.tif 000049
【図４８】
0003097254.tif 000050
【図４９】
0003097254.tif 000051
【図５０】
0003097254.tif 000052
【図５１】
0003097254.tif 000053
【図５２】
0003097254.tif 000054
【図５３】
0003097254.tif 000055
【図５４】
0003097254.tif 000056
【図５５】
0003097254.tif 000057
【図５６】
0003097254.tif 000058